(57)【要約】【課題】特別な化粧パネルを用意しなくても額縁の押さえ片の外面と化粧パネルの外面とを揃えで外観よくできる化粧パネルの取り付け構造を提供する。【解決手段】一側端に雌実４を有すると共に他側端に上記雌実４に嵌合し得る雄実５を有する化粧パネル１を壁面に沿わせて取り付ける。この壁面に沿わせて取り付けた化粧パネル１の端縁に沿って断面略Ｌ字状の額縁２を取り付ける。雄実５の部分では雄実５の外面に額縁２の押さえ片３を被せると共に雌実４の部分では雌実４に嵌合して装着した雇い実１０の外面に額縁２の押さえ片３を被せて額縁２の押さえ片３の外面と化粧パネル１の外面を揃える。【選択図】        図１
2004176373.tif 000002
【特許請求の範囲】
【請求項１】
一側端に雌実を有すると共に他側端に上記雌実に嵌合し得る雄実を有する化粧パネルを壁面に沿わせて取り付け、この壁面に沿わせて取り付けた化粧パネルの端縁に沿って断面略Ｌ字状の額縁を取り付け、雄実の部分では雄実の外面に額縁の押さえ片を被せると共に雌実の部分では雌実に嵌合して装着した雇い実の外面に額縁の押さえ片を被せて額縁の押さえ片の外面と化粧パネルの外面を揃えたことを特徴とする化粧パネルの取り付け構造。
【請求項２】
壁面に沿って複数枚の化粧パネルを並べ、隣り合う化粧パネルの雌実と雄実とを嵌合したことを特徴とする請求項１記載の化粧パネルの取り付け構造。
【請求項３】
隣り合う化粧パネルの雌実と雄実とを嵌合した部分に雄実が底に露出する目地溝を形成したことを特徴とする請求項２記載の化粧パネルの取り付け構造。
【請求項４】
額縁の押さえ片を雄実や雇い実に被せた部分に雄実や雇い実が底に露出する目地溝を形成したことを特徴とする請求項１乃至請求項３のいずれかに記載の化粧パネルの取り付け構造。
【発明の詳細な説明】
【０００１】
【発明の属する技術分野】
本発明は、居室の壁面にアクセント的に化粧パネルを貼って外観よく仕上げる化粧パネルの取り付け構造に関するものである。
【０００２】
【従来の技術】
近年、居室の壁面に沿ってアクセント的に化粧パネルを貼って外観よく仕上げることが行われるようになってきた。
【０００３】
その一例としては図１２に示すように壁面に沿って化粧パネル１を貼り、化粧パネル１の周縁に沿って断面Ｌ字状の額縁２を配置し、額縁２の押さえ片３にて化粧パネル１の周縁を押さえている（例えば、特許文献１参照）。
【０００４】
【特許文献１】
特開平８−１５１８５９号公報
また複数枚の化粧パネル１を貼るときは図１３（ａ）、図１４のように化粧パネル１の側端に雌実４と雄実５とを設け、隣り合う化粧パネル１を雌実４と雄実５との嵌合で接続している。そして額縁２を取り付けて仕舞う場合、図１３（ｂ）に示すように切断線６に沿って雄実５を切断して切り落とし、図１３（ｃ）に示すように切断線６に沿って雌実４を切り落とし、額縁２の押さえ片３にて化粧パネル１を押さえて固定している。
【０００５】
また複数枚の化粧パネル１を貼るとき図１５に示すように化粧パネル１の裏面側に設けた凹部７と凸部８とを嵌合してあいじゃくりで接続するものもある。この場合も額縁２を取り付け仕舞う場合、凹部７や凸部８の部分を切り落とし、額縁２の押さえ片３にて化粧パネル１を押さえて固定している。
【０００６】
また複数枚の化粧パネル１を貼るとき図１６に示すように隣り合う化粧パネル１を雌実４と雄実５の嵌合で接続するが、並べる方向の端部では一側端に雌実４を有すると共に他側端に切り欠き９を有する化粧パネル１′や、一側端に切り欠き９を有すると共に他端側に雄実５を有する化粧パネル１″を用い、額縁２の押さえ片３を切り欠き９に嵌合して押さえ片３にて押さえている。
【０００７】
【発明が解決しようとする課題】
ところで、上記図１２乃至図１５に示す従来例では額縁２の押さえ片３が化粧パネルの外面より外面方向に突出して外観が悪くなるという問題がある。また図１６に示す従来例では押さえ片３が切り欠き９に収まって外観よく施工できるが、額縁２を取り付ける部分では特別な化粧パネル１′，１″を用いなければならなく、３種類の化粧パネル１，１′，１″を用意しなければならないという問題がある。
【０００８】
本発明は上記の点に鑑みてなされたものであり、特別な化粧パネルを用意しなくても額縁の押さえ片の外面と化粧パネルの外面とを揃えで外観よくできる化粧パネルの取り付け構造を提供することを課題とするものである。
【０００９】
【課題を解決するための手段】
上記課題を解決するための本発明の化粧パネルの取り付け構造は、一側端に雌実４を有すると共に他側端に上記雌実４に嵌合し得る雄実５を有する化粧パネル１を壁面に沿わせて取り付け、この壁面に沿わせて取り付けた化粧パネル１の端縁に沿って断面略Ｌ字状の額縁２を取り付け、雄実５の部分では雄実５の外面に額縁２の押さえ片３を被せると共に雌実４の部分では雌実４に嵌合して装着した雇い実１０の外面に額縁２の押さえ片３を被せて額縁２の押さえ片３の外面と化粧パネル１の外面を揃えたことを特徴とする。このようにする雌実４の部分で雌実４に雇い実１０を嵌合して取り付けるだけで押さえ片３の外面と化粧パネル１の外面とを揃えて額縁２を取り付けることができて外観よく施工できる。
【００１０】
また壁面に沿って複数枚の化粧パネル１を並べ、隣り合う化粧パネル１の雌実４と雄実５とを嵌合したことを特徴とすることも好ましい。この場合、複数枚の化粧パネル１を並べたとき、雌実４と雄実５とを嵌合して接続できると共に１種類の化粧パネル１でも額縁２で外観よく仕舞うことができる。
【００１１】
また隣り合う化粧パネル１の雌実４と雄実５とを嵌合した部分に雄実５が底に露出する目地溝１１を形成したことを特徴とすることも好ましい。この場合、隣り合う化粧パネル１間の目地溝１１にて外観を向上できる。
【００１２】
また額縁２の押さえ片３を雄実５や雇い実１０に被せた部分に雄実５や雇い実１０が底に露出する目地溝１２を形成したことを特徴とすることも好ましい。この場合、化粧パネル１と額縁２との間の目地溝１２にて外観を向上できる。
【００１３】
【発明の実施の形態】
化粧パネル１は本例の場合、吸音機能も有するものであり、図４に示すように枠体１５、吸音材１６、中板１７、中板補助材１８、化粧板１９で主体が構成されている。枠体１５は上下一対の横枠１５ａと左右の一対の縦枠１５ｂとを矩形状に枠組みし、上下一対の横枠１５ａ間に複数本（本例の場合、３本）の仕切り枠材１５ｃを上下に等間隔に架設してある。
【００１４】
吸音材１６は枠体１５内の空所２１に収まる大きさの矩形状に形成されており、複数の空所２１に夫々吸音材１６を装填してある。かかる吸音材１６は、本例の場合、インシュレーションボードと称される軟質繊維板（密度０．３５ｇ／ｃｍ３未満）にて形成されている。このような軟質繊維板にて形成すると、吸音性以外に吸湿性もある。
【００１５】
枠体１５の表面側には複数枚の中板１７が上下に並べられるのであるが、この中板１７の裏面側には上下方向に亙る裏溝２０を左右方向に並列に穿設してある。中板補助材１８は中板１７の厚さと同じで細長い板であり、上下に隣り合う中板１７間、最上部の中板１７の上端部の上方、及び最下部の中板１７の下端部の下方に水平に架設されており、さらに中板１７の一方の側端の側方に上下方向に亙るように架設されている。このように枠体１５の表面側に中板１７や中板補助材１８を配置して枠体１５に中板１７や中板補助材１８を一体に装着してある。かかる中板補助材１８は中板１７と異なる色に着色してある。
【００１６】
このように中板１７や中板補助材１８を取り付けた状態で中板１７や中板補助材１８の表面側には全面に亙るように１枚の化粧板１９を貼り付けて装着してある。かかる化粧板１９の少なくとも表面には化粧を施してある。この化粧板１９の表面には図５に示すように裏溝２０と直交する方向である水平方向に複数本の模様溝２２を並列に穿設してある。模様溝２２を穿設するとき中板１７の裏溝２０に貫通する深さまで穿設してある。
【００１７】
このように模様溝２２を穿設するが、中板１７に対応する位置で設けた模様溝２２ａでは模様溝２２ａと裏溝２０とが連通すると共に裏溝２０と連通しない部分では中板１７が露出し、中板１７間に対応する位置に設けた模様溝２２ｂでは模様溝２２ｂの全長に亙って中板補助材１８が露出する。このため模様溝２２ａと模様溝２２ｂとは異なる外観となって外観に変化が出る。本例の場合、模様溝２２ａより模様溝２２ｂの方が幅を広くしてある。
【００１８】
上記のように化粧パネル１が形成されるが、化粧パネル１の両側には実加工を施し、図６や図７（ａ）に示すように化粧パネル１の一側端には上下方向に亙るように雌実４を穿設すると共に化粧パネル１の他側端には上下方向に亙るように雄実５を穿設してある。雄実５の部分では中板補助材１８が露出して模様溝２２ｂと同じ外観となる。また化粧パネル１の上端及び下端では化粧板１９及び中板補助材１８の表面側を全長に亙って穿設して図６、図８に示すように切り欠き部２３を全長に亙って形成してある。この切り欠き部２３の部分でも中板補助材１８が露出して模様溝２２ｂや雄実５と同じ外観となる。
【００１９】
上記のような化粧パネル１は寝室のベッド頭の壁面、リビングのＴＶ設置箇所の壁面等のアクセントパネル等として利用できるが、例えば、一例として図９に示すようにリビング２４に設置して使用される。この例ではリビング２４のＴＶ設置箇所２５やキャビネット設置箇所２６の近傍の壁面に沿って化粧パネル１を並べて設置してある。化粧パネル１を複数枚並べて設置する場合は、図３に示すように一方の化粧パネル１の雌実４に他方の化粧パネル１の雄実５を嵌合することで実結合して接続される。このように雌実４と雄実５とを嵌合して接続したとき、中板補助材１８からなる雄実５が底に露出する目地溝１１が形成され、この目地溝１１が模様溝２２ｂと同じ外観となる。
【００２０】
このように化粧パネル１が設置されるが、この化粧パネル１を設置した部分で四周に沿って額縁２が図１、図２、図３、図１０に示すように装着される。この額縁２は額縁本体２ａに押さえ片３を設けて断面Ｌ字状に形成されており、押さえ片３で化粧パネル１の周縁を押さえて固定してある。化粧パネル１の雄実５に沿わせた額縁２は押さえ片３が雄実５の外面に被せてあり、この額縁２の押さえ片３の外面と化粧パネル１の外面とを揃えてある。化粧パネル１の雌実４に沿わせた額縁２は雌実４に嵌合した雇い実１０の外面に押さえ片３を被せてあり、この額縁２の押さえ片３の外面と化粧パネル１の外面を揃えてある。雇い実１０は中板補助材１８と同じ色に着色してあり、雄実５の部分と同じ外観となっている。雇い実１０を雌実４に嵌合したとき接着剤を併用して固定してある。化粧パネル１の上端及び下端に沿わせた額縁２は押さえ片３を切り欠き部２３に被せてあり、この額縁２の押さえ片３の外面と化粧パネル１の外面とを揃えてある。上記のように化粧パネル１に額縁２を沿わせて取り付けるとき、額縁本体２ａの表面から化粧パネル１にかくし釘２７を打設して固定してある。雇い実１０の部分では図２に示すようにかくし釘２７を雇い実１０に貫通させて打入してあり、かくし釘２７で雇い実１０も固定してある。
【００２１】
上記のように化粧パネル１を貼った部分の周囲が額縁２で仕舞われることにより周囲が外観よく仕舞われる。また額縁２の押さえ片３の外面と化粧パネル１のが外面とが揃うことにより化粧パネル１の周縁が一層外観よく仕舞われる。また上記のように額縁２を取り付けた部分で押さえ片３に沿って雄実５や雇い実１０や切り欠き部２３が底に露出する目地溝１２が全周に亙って形成され、目地溝１２が目地溝１１や模様溝２２ｂと同じ外観となる。上記のように化粧パネル１が設置されると共に化粧パネル１の周縁が額縁２で仕舞われることにより、壁面の外観にアクセントがあるように外観よく仕上げられる。また室内の音は模様溝２２ａから裏溝２０を介して吸音材１６に効果的に吸音される。また吸音材１６に調湿機能があると室内の調湿もすることができる。
【００２２】
なお、上記例では複数枚の化粧パネル１を壁面に並べて取り付け、複数枚の化粧パネル１の周囲に化粧パネル１の周囲を囲むように額縁２を取り付けるものについて述べたが、１枚の化粧パネル１を取り付ける場合も、上記と同様に周囲に額縁２を取り付けて仕舞うことができる。
【００２３】
【発明の効果】
本発明の請求項１の発明は、一側端に雌実を有すると共に他側端に上記雌実に嵌合し得る雄実を有する化粧パネルを壁面に沿わせて取り付け、この壁面に沿わせて取り付けた化粧パネルの端縁に沿って断面略Ｌ字状の額縁を取り付け、雄実の部分では雄実の外面に額縁の押さえ片を被せると共に雌実の部分では雌実に嵌合して装着した雇い実の外面に額縁の押さえ片を被せて額縁の押さえ片の外面と化粧パネルの外面を揃えたので、雌実の部分で雌実に雇い実を嵌合して取り付けるだけで押さえ片の外面と化粧パネルの外面とを揃えて額縁を取り付けることができて外観よく施工できるものである。
【００２４】
また本発明の請求項２の発明は、請求項１において、壁面に沿って複数枚の化粧パネルを並べ、隣り合う化粧パネルの雌実と雄実とを嵌合したので、複数枚の化粧パネルを並べたとき、雌実と雄実とを嵌合して接続できると共に１種類の化粧パネルでも額縁で外観よく仕舞うことができるものである。
【００２５】
また本発明の請求項３の発明は、請求項２において、隣り合う化粧パネルの雌実と雄実とを嵌合した部分に雄実が底に露出する目地溝を形成したので、隣り合う化粧パネル間の目地溝にて外観を向上できるものである。
【００２６】
また本発明の請求項４の発明は、請求項１乃至請求項３のいずれかにおいて、額縁の押さえ片を雄実や雇い実に被せた部分に雄実や雇い実が底に露出する目地溝を形成したので、化粧パネルと額縁との間の目地溝にて外観を向上できるものである。
【図面の簡単な説明】
【図１】本発明の実施の形態の一例を説明する一部切欠分解斜視図である。
【図２】同上の額縁を化粧パネルに固定する状態を説明する要部の断面図である。
【図３】同上の施工した状態を示す概略断面図である。
【図４】同上の化粧パネルの分解斜視図である。
【図５】（ａ）は同上の化粧パネルに模様溝を穿設した状態の一部切欠斜視図、（ｂ）は（ａ）のＸ部を拡大せる斜視図、（ｃ）は（ａ）のＹ部の切欠しない状態の拡大斜視図である。
【図６】同上の化粧パネルを組み立てた状態を示し、（ａ）は正面図、（ｂ）は底面から見た断面図、（ｃ）は側面から見た断面図である。
【図７】（ａ）は同上の雌実や雄実を設けた状態の断面図、（ｂ）は雌実と雄実とを嵌合した状態の断面図である。
【図８】同上の切り欠き部を設けた状態の断面図である。
【図９】同上のリビングの壁面に化粧パネルを設置した状態の斜視図である。
【図１０】同上の額縁を取り付けた状態を示し、（ａ）は平面から見た断面図、（ｂ）は側面から見た断面図である。
【図１１】同上の複数枚の化粧パネルを設置した状態で（ａ）は正面図、（ｂ）は側面図である。
【図１２】一従来例の断面図である。
【図１３】（ａ）は他の従来例の断面図、（ｂ）は雄実を切り落とす状態を説明する断面図、（ｃ）は雌実を切り落とす状態を説明する断面図である。
【図１４】他の従来例の断面図である。
【図１５】他の従来例の断面図である。
【図１６】他の従来例の断面図である。
【符号の説明】
１  化粧パネル
２  額縁
３  押さえ片
４  雌実
５  雄実
１０  雇い実
【図１】
2004176373.tif 000003
【図２】
2004176373.tif 000004
【図３】
2004176373.tif 000005
【図４】
2004176373.tif 000006
【図５】
2004176373.tif 000007
【図６】
2004176373.tif 000008
【図７】
2004176373.tif 000009
【図８】
2004176373.tif 000010
【図９】
2004176373.tif 000011
【図１０】
2004176373.tif 000012
【図１１】
2004176373.tif 000013
【図１２】
2004176373.tif 000014
【図１３】
2004176373.tif 000015
【図１４】
2004176373.tif 000016
【図１５】
2004176373.tif 000017
【図１６】
2004176373.tif 000018